(57)【要約】【課題】サイクロン本体の円筒部に設ける導入管の接続部分を円形に近づけ、溶接作業の容易化と能率向上を図ると共に、鋳造による製作の場合の鋳造型の加工を容易にすることができるサイクロン形異物分離装置を提供する。【解決手段】サイクロン本体１２の円筒部１３の周壁に対して導入管１６を、この周壁の半径方向の中心線上に沿った配置で溶接により取付け、この円筒部１３の周壁に、導入管１６から内部に送り込まれたダーティ流体Ａを内周面に沿って接線方向に誘導する誘導部２０を設けた。【選択図】図１
0003129341.tif 000002
【実用新案登録請求の範囲】
【請求項１】
サイクロン本体の上部円筒部に設けた導入管から下部小径の円錐形渦流室にダーティ流体を供給し、前記円錐形渦流室で生じた旋回流による遠心力で異物を分離し、この異物を下端部の排出口から取出し、前記渦流室のクリーン流体を導出管でサイクロン本体の外部に排出するようにしたサイクロン形異物分離装置において、
前記サイクロン本体の円筒部周壁に対して導入管を、この周壁の半径方向の中心線上に沿った配置で設け、このサイクロン本体の周壁に、導入管から内部に送り込まれたダーティ流体を内周面に沿って接線方向に誘導する誘導部を設けたことを特徴とするサイクロン形異物分離装置。
【請求項２】
上記サイクロン本体の周壁が円筒に形成され、上記導入管に円筒パイプを用い、この導入管がサイクロン本体の周壁に設けた円形孔に対して溶接によって接続されていることを特徴とする請求項１に記載のサイクロン形異物分離装置。
【請求項３】
上記サイクロン本体の周壁が円筒に形成され、上記導入管がサイクロン本体の周壁と鋳造によって一体成形されていることを特徴とする請求項１に記載のサイクロン形異物分離装置。
【請求項４】
上記誘導部が、サイクロン本体の周壁内周面に施した周方向の流路によって形成され、この流路の深さが、上記導入管と連なる基端から開放端に向けて漸次浅くなっていることを特徴とする請求項１乃至３の何れかに記載のサイクロン形異物分離装置。
【請求項５】
上記誘導部が、サイクロン本体の周壁にこの周壁の内周面に対して接線方向の配置で設けられ、その基端が導入管と連通し、他端が周壁内に開放する通路で形成されていることを特徴とする請求項１乃至３の何れかに記載のサイクロン形異物分離装置。
【考案の詳細な説明】
【技術分野】
【０００１】
この考案は、各種液体や気体に含まれている異物を、これら液体や気体から遠心分離して確実に除去するためのサイクロン形異物分離装置に関する。
【背景技術】
【０００２】
異物が含まれている液体や気体の一例として、ＮＣ・ＭＣ・研削盤・研磨盤・切断機や圧延ロール等の加工機械において、潤滑、冷却や不溶着を目的として使用されているクーラント液を例示することができる。
【０００３】
このクーラント液は、加工機械で使用したあとこれを回収して再度加工機械に供給する循環使用をするが、加工精度や刃物の長寿命化等に対応するため、回収したクーラント液（以下技術分野の項ではダーティクーラント液という）に含まれている切り粉等の異物を除去する必要があり、このための除去装置としてサイクロン形異物分離装置が用いられている。
【０００４】
従来の一般的なサイクロン形異物分離装置１は、図３と図２（ｃ）に示すように、上部の円筒部２とその下部に連なる下部小径の円錐部３からなり、この円錐３の内部が円錐形渦流室４となるサイクロン本体５に、前記円筒部２内から渦流室４内の上部にダーティクーラント液Ａを接線方向から供給する導入管６と、前記渦流室４内の下端部に排出口７を介して連なり、渦流室４内でダーティクーラント液から分離された異物を貯留するための貯留槽８と、前記サイクロン本体５の円筒部２の内部で旋回流の軸中央に配置され、渦流室４で異物が除去されたクリーンクーラント液をサイクロン本体５の外部に排出する導出管９を設けた構造になっている（例えば、特許文献１参照）。
【０００５】
このようなサイクロン形異物分離装置１は、導入管６によって円筒部２内から渦流室４内の上部にダーティクーラント液Ａを接線方向から供給すると、ダーティクーラント液は旋回流ａを生じながら円錐形渦流室４内を下降し、この旋回流ａによって遠心力を受けた異物は円錐形渦流室４の周壁に集まりながら沈降することになり、このようにして異物が分離された旋回流の中央にあるクリーンクーラント液を導出管９で外部に取出すと共に、沈降した異物は排出口７を介して貯留槽８内に貯留するものである。
【０００６】
上記サイクロン形異物分離装置１は、導入管６から供給したダーティクーラント液Ａが渦流室４内で旋回流となるよう、ダーティクーラント液Ａを渦流室４内に接線方向から供給する必要があり、このため、図２（ｃ）で示したように、導入管６はサイクロン本体５の円筒部２における外側寄りの位置に、円筒部２に対して接線方向の配置で接続しなければならない。
【特許文献１】特開２００６−１３０４８９号公報
【考案の開示】
【考案が解決しようとする課題】
【０００７】
ところで、円筒部２の外周に対して円筒パイプ製の導入管６を接線方向に沿って接続する場合、円筒部２の外周に設ける導入管の接続孔１０は、円筒部２の外周円筒面に対して接線方向に沿うよう穿孔しなければならないので、片側に傾斜する曲面と円形孔の組み合わせによって複雑な曲線の周縁形状を呈することになり、このような接続孔１０に導入管６を溶接によって接続する場合、接続孔１０の周縁形状に沿って溶接を施さなければならないが、接続孔１０の周縁形状が複雑な曲線であると、溶接がどうしても行いにくくなり、溶接作業に手間と時間がかかるという問題がある。
【０００８】
また、円筒部２と導入管６を鋳造等により一体成形することもあるが、このような鋳造の場合でも、円筒部２の外周に対して導入管６を接線方向に沿って設けた構造では、片側に傾斜する曲面と円形孔の組み合わせによってできる複雑な曲線の周縁形状を鋳造型に加工するのは困難であり、鋳造による製作に困難性を伴うことになる。
【０００９】
そこで、この考案の課題は、導入管を円筒部の半径方向中心線上に沿って配置した状態で円筒部に設けるようにし、円筒部と導入管の接続部分を真円に近い形状とすることにより、円筒部に導入管を溶接する場合の溶接作業の容易化と能率向上を図ると共に、鋳造による製作の場合の鋳造型の加工を容易にすることができるサイクロン形異物分離装置を提供することにある。
【課題を解決するための手段】
【００１０】
上記のような課題を解決するため、この考案は、サイクロン本体の上部円筒部に設けた導入管から下部小径の円錐形渦流室にダーティ流体を供給し、前記円錐形渦流室で生じた旋回流による遠心力で異物を分離し、この異物を下端部の排出口から取出し、前記渦流室のクリーン流体を導出管でサイクロン本体の外部に排出するようにしたサイクロン形異物分離装置において、前記サイクロン本体の円筒部周壁に対して導入管を、この周壁の半径方向の中心線上に沿った配置で設け、このサイクロン本体の周壁に、導入管から内部に送り込まれたダーティ流体を内周面に沿って接線方向に誘導する誘導部を設けた構成を採用したものである。
【００１１】
また、上記サイクロン本体の周壁が円筒に形成され、上記導入管に円筒パイプを用い、この導入管がサイクロン本体の周壁に設けた円形孔に対して溶接によって接続されているようにしたり、前記サイクロン本体の周壁が円筒に形成され、前記導入管がサイクロン本体の周壁と鋳造によって一体成形されている構造とすることができる。
【００１２】
更に、上記誘導部が、サイクロン本体の周壁内周面に施した周方向の流路によって形成され、この流路の深さが、上記導入管と連なる基端から開放端に向けて漸次浅くなっているようにしたり、この誘導部が、サイクロン本体の周壁にこの周壁の内周面に対して接線方向の配置で設けられ、その基端が導入管と連通し、他端が周壁内に開放する通路で形成されているようにしてもよい。
【００１３】
ここで、上記サイクロン本体は、上部の円筒部とその下部に連なる下部小径の円錐部からなり、この円錐部の内部が円錐形渦流室になっていると共に、導入管は前記円筒部内に周壁の半径方向の中心線上からダーティ流体を供給し、このダーティ流体が渦流室内の上部に誘導部で接線方向から流入して渦流室で旋回流となる。
【００１４】
また、サイクロン本体の円筒部周壁に対して導入管を、この周壁の半径方向の中心線上に沿った配置で取付けるようにすると、円筒部周壁に設ける導入管の接続孔が真円に近い形状となり、接続孔とこれに接続する導入管の接続箇所が円形に近くなり、溶接作業や鋳造型の製作が容易となる。
【考案の効果】
【００１５】
この考案によると、サイクロン本体の円筒部周壁に対して縁筒パイプの導入管を、この周壁の半径方向の中心線上に沿った配置で取付けるようにしたので、円筒部周壁に設ける導入管の接続部分を真円に近い形状にすることができ、このような円形形状は溶接作業が行い易く、溶接作業の容易化と能率向上を図ることができると共に、鋳造製作の場合は鋳造型の製作が容易となる。
【００１６】
また、サイクロン本体の周壁に、導入管から内部に送り込まれたダーティ流体を内周面に沿って接線方向に誘導する誘導部を設けたので、導入管で円筒部内に周壁の半径方向の中心線上からダーティ流体を供給しても、このダーティ流体は渦流室内の上部に誘導部で接線方向から流入することになり、従って、ダーティ流体は渦流室で旋回流となり、確実に流体から異物を分離することができる。
【考案を実施するための最良の形態】
【００１７】
以下、この考案の実施の形態を添付図面に基づいて説明する。
【００１８】
図１のように、サイクロン形異物分離装置１１は、サイクロン本体１２が、上部の円筒部１３とその下部に連なる下部小径の円錐部１４からなり、この円錐部１４の内部が円錐形渦流室１５になっていると共に、このサイクロン本体１２の上部にダーティ流体Ａを供給する導入管１６と、前記渦流室１５内の下端部に排出口１７を介して連なり、渦流室１５内でダーティ流体から分離された切り粉等の異物を貯留するための貯留槽１８と、前記サイクロン本体１２の内部で旋回流の軸中央に配置され、渦流室１５のクリーン流体をサイクロン本体１２の外部に排出する導出管１９が設けられている。
【００１９】
上記導入管１６は、サイクロン本体１２の円筒部１３の周壁に対して、この周壁１３の半径方向の中心線上に沿った配置で取付けられ、この円筒部１３の周壁に、導入管１６から内部に送り込まれたダーティ流体Ａを周壁の内周面に沿って接線方向に誘導する誘導部２０が設けられている。なお、処理せんとするダーティ流体Ａは、液体と気体の何れでもよいが、液体の場合は、切り粉を含んだクーラント液を挙げることができる。
【００２０】
上記導入管１６は、溶接による製作の場合、円筒パイプを用いて形成され、サイクロン本体１２の円筒部１３の周壁にはこの導入管１６を接続するための接続孔２１が設けられ、導入管１６は溶接によって接続孔２１に取付けられている。
【００２１】
また、鋳造による製作の場合、上記導入管１６は、鋳型を用いてサイクロン本体１２の円筒部１３と一体成形されることになる。
【００２２】
上記のように、導入管１６を円筒部１３の周壁に対して、この周壁の半径方向の中心線上に軸線が沿った配置で取付ける場合、大きな外径の円筒部１３の周壁に対して設ける小径の接続孔２１は半径方向の中心線上に沿って円形孔を穿設すればよいので真円に近い形状になり、これによって、接続孔２１とこれに接続する導入管１６の溶接箇所が円形に近くなり、このような円形の形状は溶接作業が行い易く、溶接作業の容易化と能率向上を図ることができることになる。
【００２３】
図１と図２（ａ）は、サイクロン本体１２の円筒部１３の周壁に、導入管１６から内部に送り込まれたダーティ流体Ａを内周面に沿って接線方向に誘導する誘導部２０の第１の例を示し、誘導部２０が、円筒部１３の内周面に施した周方向の流路２０ａによって形成され、この流路２０ａの深さが、上記導入管１６と連なる基端から開放端に向けて漸次浅くなっている。
【００２４】
また、図２（ｂ）は上記誘導部２０の第２の例を示し、円筒部１３の周壁にこの周壁の内周面に対して接線方向の配置で斜めに設けられ、その基端が導入管１６と連通し、他端が周壁内に開放する通孔２０ｂで形成されている。
【００２５】
この考案のサイクロン形異物分離装置１１は、上記のような構成であり、導入管１６によって円筒部１３内から渦流室１５内の上部にダーティ流体Ａを供給すると、誘導部２０で接線方向に誘導されたダーティ流体Ａは旋回流ａを生じながら円錐形渦流室１５内を下降し、この旋回流ａによって遠心力を受けた異物は円錐形渦流室１５の周壁に集まりながら沈降することになり、このようにして異物が分離された旋回流ａの中央にあるクリーン流体を導出管１９で外部に取出すと共に、沈降した異物は排出口１７を介して貯留槽１８内に貯留するものである。
【００２６】
上記サイクロン形異物分離装置１１において、サイクロン本体１２の円筒部１３の周壁に対して円筒パイプの導入管１６を、この周壁の半径方向の中心線上に沿った配置で取付けるようにしたので、溶接による製作の場合、接続孔２１は周壁の中心に向かう孔となり、接続孔２１とこれに接続する導入管１６の溶接箇所が円形に近くなり、形状の単純化により溶接作業の容易化と能率向上を図ることができる。
【００２７】
また、鋳造で製作する場合、サイクロン本体１２の円筒部と導入管１６を一体成形することになるが、円筒部と導入管１６の接続部分は真円に近くなって形状が単純化し、これによって鋳型の製作が容易になる。
【００２８】
また、サイクロン本体１２の円筒部１３の周壁に、導入管１６から内部に送り込まれたダーティ流体Ａを誘導部２０で内周面に沿って接線方向に誘導するので、導入管１６で円筒部１３内に周壁の半径方向の中心線上からダーティ流体Ａを供給しても、ダーティ流体Ａは渦流室１５で旋回流となり、確実に流体から異物を分離することができる。
【図面の簡単な説明】
【００２９】
【図１】この考案に係るサイクロン形異物分離装置を示す縦断正面図
【図２】（ａ）はこの考案に係るサイクロン形異物分離装置の誘導部の第１の例を示す図１の矢印ａ−ａでの横断平面図、（ｂ）は誘導部の第２の例を示す同じ部分での横断平面図、（ｃ）は従来のサイクロン形異物分離装置の誘導部を示す横断平面図
【図３】従来のサイクロン形異物分離装置を示す縦断正面図
【符号の説明】
【００３０】
１１        サイクロン形異物分離装置
１２        サイクロン本体
１３        円筒部
１４        円錐部
１５        円錐形渦流室
１６        導入管
１７        排出口
１８        貯留槽
１９        導出管
２０        誘導部
２０ａ      流路
２０ｂ      通孔
２１        接続孔
Ａ          ダーティ流体
【図１】
0003129341.tif 000003
【図２】
0003129341.tif 000004
【図３】
0003129341.tif 000005